(57)【要約】【課題】  利便性の高い電子早見本装置を提供する。【解決手段】  電子早見本装置５０の着脱に応じてその電子早見本装置５０の機能を変更するための機能変更指令を出力するクレイドル５４を備えており、前記電子早見本装置５０は、そのクレイドル５４から出力される機能変更指令に応じてその電子早見本装置５０のカラオケ装置１０への入力に関する対応付を解除する対応付解除手段８２を含むことから、何ら入力操作を行うことなく簡便に前記電子早見本装置５０のカラオケ装置１０への入力に関する対応付を解除することができる。すなわち、利便性の高い電子早見本装置５０を提供することができる。【選択図】  図４
2006098748.tif 000002
【特許請求の範囲】
【請求項１】
複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
該電子早見本装置の着脱に応じて該電子早見本装置の機能を変更するための機能変更指令を出力可能なクレイドルを備えており、前記電子早見本装置は、該クレイドルから出力される機能変更指令に応じて該電子早見本装置の機能を変更する機能変更手段を含むことを特徴とする電子早見本装置。
【請求項２】
前記電子早見本装置は、複数の前記カラオケ装置から所定のカラオケ装置を特定するためのカラオケ装置特定情報に基づいて前記カラオケ装置への前記入力に関する対応付を行うものであり、前記機能変更手段は、前記機能変更指令に応じて前記電子早見本装置の前記カラオケ装置への前記入力に関する対応付を解除する対応付解除手段である請求項１の電子早見本装置。
【請求項３】
前記機能変更手段は、前記機能変更指令に応じて前記電子早見本装置の前記カラオケ装置への選曲を含むカラオケ動作制御信号の送信を禁止乃至は許可する送信制御手段である請求項１の電子早見本装置。
【請求項４】
前記電子早見本装置は、所定の機能を実行した際の実行内容を記憶保持する記憶手段を有するものであり、前記機能変更手段は、該記憶手段により記憶された前記実行内容を前記タッチパネルディスプレイに閲覧可能に表示させる実行内容表示手段である請求項１の電子早見本装置。
【請求項５】
前記クレイドルは、前記機能変更指令を出力する状態と出力しない状態との間で回路を切り換える切換スイッチを有するものである請求項１から４の何れかの電子早見本装置。
【発明の詳細な説明】
【技術分野】
【０００１】
本発明は、複数の演奏曲のうちから選択される所望の演奏曲を出力させるカラオケ装置を遠隔操作するための電子早見本装置の改良に関する。
【背景技術】
【０００２】
複数の演奏曲のうちから選択される所望の演奏曲を出力させる音楽再生装置が知られている。例えば、カラオケボックス等で使用されるカラオケ装置がそれである。斯かるカラオケ装置によれば、予め記憶装置に記憶された複数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の画像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ指等の接触（タッチ入力）により簡便に上記カラオケ装置への入力を行うことができる。
【０００４】
【特許文献１】特開２００３−２０２８７２号公報
【０００５】
ところで、前記従来の電子早見本装置は、通常、クレイドルと称される装置を備えている。このクレイドルは、前記電子早見本装置が取り付けられることでその電子早見本装置を充電したり、ＬＡＮケーブルを介して前記カラオケ装置に接続したりといった機能を有するものである。本発明者は、利便性の高い電子早見本装置を開発すべく鋭意研究を重ねた結果、上記クレイドルに新たな機能を付与する着想を持つに至った。
【発明の開示】
【発明が解決しようとする課題】
【０００６】
本発明は、以上の事情を背景として為されたものであり、その目的とするところは、利便性の高い電子早見本装置を提供することにある。
【課題を解決するための手段】
【０００７】
斯かる目的を達成するために、本発明の要旨とするところは、複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、その電子早見本装置の着脱に応じてその電子早見本装置の機能を変更するための機能変更指令を出力可能なクレイドルを備えており、前記電子早見本装置は、そのクレイドルから出力される機能変更指令に応じてその電子早見本装置の機能を変更する機能変更手段を含むことを特徴とするものである。
【発明の効果】
【０００８】
このようにすれば、前記電子早見本装置の着脱に応じてその電子早見本装置の機能を変更するための機能変更指令を出力可能なクレイドルを備えており、前記電子早見本装置は、そのクレイドルから出力される機能変更指令に応じてその電子早見本装置の機能を変更する機能変更手段を含むことから、何ら入力操作を行うことなく簡便に前記電子早見本装置の機能を変更することができる。すなわち、利便性の高い電子早見本装置を提供することができる。
【０００９】
ここで、好適には、前記電子早見本装置は、複数の前記カラオケ装置から所定のカラオケ装置を特定するためのカラオケ装置特定情報に基づいて前記カラオケ装置への前記入力に関する対応付を行うものであり、前記機能変更手段は、前記機能変更指令に応じて前記電子早見本装置の前記カラオケ装置への前記入力に関する対応付を解除する対応付解除手段である。このようにすれば、何ら入力操作を行うことなく簡便に前記電子早見本装置の前記カラオケ装置への対応付を解除することができるという利点がある。
【００１０】
また、好適には、前記機能変更手段は、前記機能変更指令に応じて前記電子早見本装置の前記カラオケ装置への選曲を含むカラオケ動作制御信号の送信を禁止乃至は許可する送信制御手段である。このようにすれば、何ら入力操作を行うことなく簡便に前記電子早見本装置の前記カラオケ装置への選曲を含むカラオケ動作制御信号の送信を禁止乃至は許可することができるという利点がある。
【００１１】
また、好適には、前記電子早見本装置は、所定の機能を実行した際の実行内容を記憶保持する記憶手段を有するものであり、前記機能変更手段は、その記憶手段により記憶された前記実行内容を前記タッチパネルディスプレイに閲覧可能に表示させる実行内容表示手段である。このようにすれば、何ら入力操作を行うことなく簡便に前記電子早見本装置における所定の機能の実行内容を前記タッチパネルディスプレイに閲覧可能に表示させることができるという利点がある。
【００１２】
また、好適には、前記クレイドルは、前記機能変更指令を出力する状態と出力しない状態との間で回路を切り換える切換スイッチを有するものである。このようにすれば、前記クレイドルの使用態様に応じて機能変更指令の出力／非出力を簡便に切り換えることができるという利点がある。
【実施例１】
【００１３】
以下、本発明の好適な実施例を図面に基づいて詳細に説明する。
【００１４】
図１は、本発明の電子早見本装置５０が備え付けられるカラオケ装置１０の構成を例示するブロック線図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン４８や電子早見本装置５０等の入力装置からのリモコン信号を受信するためのリモコン受信部４２と、その電子早見本装置５０等との間で無線ＬＡＮ通信を行うための無線ＬＡＮ通信部４４とを、備えて構成されている。
【００１５】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御を実行する。
【００１６】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００１７】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００１８】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００１９】
前記ハードディスク３２には、カラオケ演奏曲それぞれのタイトル情報、演奏情報、及び歌詞情報等から成り選曲番号により識別されるカラオケ情報を記憶するカラオケデータベースが設けられている。前記モデム３４は、前記カラオケ装置１０を公衆電話回線等による通信回線４６に接続するための装置である。カラオケボックス等の店舗にそれぞれ備えられた複数のカラオケ装置１０は、上記通信回線４６を介して図示しないカラオケサービス提供会社のセンタ装置に接続されており、それら複数のカラオケ装置１０によって常に新しい曲が演奏可能とされるように、随時新曲のカラオケ情報が上記センタ装置から上記通信回線４６を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００２０】
図２は、前記電子早見本装置５０の外観を大まかに示す斜視図である。この図２に示すように、前記電子早見本装置５０は、前記カラオケ装置１２を遠隔操作するために、所定の画像（映像）を表示させると共に利用者の接触に応じてそのカラオケ装置１２への入力を行うタッチパネルディスプレイ５２を備えている。また、前記カラオケ装置１０との間でデータの送受信や同期を実行したり、前記電子早見本装置５０に内蔵されたバッテリを充電する等の動作を行うスタンド型の接続架台（ドッキングテーブル）であるクレイドル５４を備えている。前記電子早見本装置５０は、上記クレイドル５４に取り付けられた状態又はそのクレイドル５４から取り外された状態で用いられ、取り付けられた状態においては、そのクレイドル５４及び図示しないＬＡＮケーブルを介して前記カラオケ装置１０に接続されるようになっている。
【００２１】
図３は、前記電子早見本装置５０の構成を説明するブロック線図である。この図３に示すように、前記電子早見本装置５０は、タッチパネルディスプレイ５２に所定の映像を表示させる表示装置５６と、その表示装置５６による表示を制御する表示制御部５８と、利用者の指等によるタッチパネルディスプレイ５２への接触により入力を行うタッチパネル６０と、そのタッチパネル６０による入力を制御する入力制御部６２と、中央演算処理装置であるＣＰＵ６４と、ＲＯＭ６６と、ＲＡＭ６８と、フラッシュＲＯＭ等の記憶部７０と、インターフェイス７２と、リモコン送信部７４と、無線ＬＡＮ通信部７６と、コネクタ７７とを、備えて構成されている。前記クレイドル５４には、前記電子早見本装置５０と接続するためのコネクタ５５が設けられており、前記電子早見本装置５０は、前記クレイドル５４に載置されてコネクタ５５及び７７が接触させられることで、上記インターフェイス７２を介して前記クレイドル５４と接続されるようになっている。また、上記記憶部７０には、前記カラオケ装置１０のカラオケデータベースに記憶された多数のカラオケ情報それぞれに対応して曲名、アーティスト名、歌詞の歌い出し部分等の選曲案内情報を選曲番号毎に記憶する演奏曲データベース等が設けられている。
【００２２】
上記ＣＰＵ６４は、上記ＲＡＭ６８の一時記憶機能を利用しつつ上記ＲＯＭ６６に予め記憶された所定のプログラムに基づいて電子情報を処理・制御する所謂コンピュータであり、上記記憶部７０から選曲案内情報を読み出し、上記表示装置５６を介してその選曲案内情報に基づく所定の案内映像を上記タッチパネルディスプレイ５２に表示させたり、そのタッチパネルディスプレイ５２に表示された案内映像に従って上記タッチパネル６０による選曲入力が行われた場合、所定のカラオケ演奏曲を予約するための選曲信号（選曲予約信号）を上記無線ＬＡＮ通信部７６等を介して前記カラオケ装置１０に送信する等の基本的な制御に加えて、後述する機能変更制御を実行する。また、複数の前記カラオケ装置１０から所定のカラオケ装置１０を特定するためのカラオケ装置特定情報に基づいて前記カラオケ装置１０への前記入力に関する対応付制御を実行する。
【００２３】
図４は、前記電子早見本装置５０のＣＰＵ６４及びクレイドル５４に備えられた制御機能の要部を示す機能ブロック線図である。この図４に示す対応付解除指令出力部８０は、前記クレイドル５４に備えられた簡易的な制御装置であり、対応付解除手段８２は、前記電子早見本装置５０のＣＰＵ６４に機能的に備えられたものである。
【００２４】
対応付解除指令出力部８０は、前記電子早見本装置５０のクレイドル５４への着脱に応じてその電子早見本装置５０の機能を変更するための機能変更指令として対応付解除指令を出力する。この対応付解除指令は、例えば、所定のパルス信号であり、前記電子早見本装置５０がクレイドル５４から取り外される際にその電子早見本装置５０へ出力される。或いは、前記電子早見本装置５０がクレイドル５４に載置されて接続される際にその電子早見本装置５０へ出力される。また、前記クレイドル５４は、前記対応付解除指令（機能変更指令）を出力する状態と出力しない状態との間で回路を切り換える切換スイッチ７８を有するものであり、その切換スイッチ７８がオンとされている場合には、前記電子早見本装置５０のクレイドル５４への着脱に応じて前記対応付解除指令を出力させるが、オフとされている場合には、前記電子早見本装置５０のクレイドル５４への着脱が行われても前記対応付解除指令を出力させない。
【００２５】
対応付解除手段８２は、前記対応付解除指令出力部８０により出力される対応付解除指令（機能変更指令）に応じて前記電子早見本装置５０の前記カラオケ装置１０への無線ＬＡＮ通信等に関する対応付を解除（初期化）する機能変更処理を実行する。この対応付解除手段８２により対応付の解除が行われることにより、前記電子早見本装置５０のタッチパネルディスプレイ５２には、図５に示すような、前記カラオケ装置１０との対応付に関する初期くくりつけ画面が表示される。
【００２６】
前記電子早見本装置５０により無線ＬＡＮ通信等で電波を介して前記カラオケ装置１０への入力を行うためには、そのカラオケ装置１０及び電子早見本装置５０が用いられている部屋の壁を通過して、隣接する部屋に設置されたカラオケ装置１０との間で通信が行われる等の弊害を防止するために、前記電子早見本装置５０とカラオケ装置１０との間で通信に関する対応付（くくりつけ）を行う必要がある。この対応付は、前記電子早見本装置５０がまだ何れのカラオケ装置１０とも対応付けられていない状態、すなわち前記タッチパネルディスプレイ５２に図５に示すような初期くくりつけ画面が表示されている状態において、その初期くくりつけ画面におけるスタートボタン（対応付開始ボタン）が利用者の指等による接触にて押されることより実行される。具体的には、前記電子早見本装置５０のリモコン送信部７４からリモコン信号（赤外線）にて所定の接続通知が送信され、その接続通知を受信した前記カラオケ装置からブロードキャスト（電波）にて識別通知が返信される。斯かる通信により前記電子早見本装置５０とカラオケ装置１０との間で対応付が行われ、以降はＩＰアドレス等が設定されることで、他のカラオケ装置１０や電子早見本装置５０との間の誤通信が防止される。
【００２７】
例えば、カラオケボックス等ではカウンタにて任意の電子早見本装置５０が利用者に渡され、所定の部屋に設置されたカラオケ装置１０に対して用いられるという利用形態が多いことから、前記カラオケ装置１０と電子早見本装置５０との間で対応付及び解除が適宜行われることが要求される。本実施例の電子早見本装置５０は、前記クレイドル５４への着脱に応じて上記対応付の解除が実行されるようになっており、斯かる要求を好適に満足させる。この場合、カウンタに設置されたクレイドル５４では、前記切換スイッチ７８をオンとすることで前記対応付解除指令を出力させる設定としておき、客室（ボックス）に設置されたクレイドル５４では、前記切換スイッチ７８をオフとすることで前記対応付解除指令を出力させない設定としておくのが好ましい。このようにすれば、客室では前記電子早見本装置５０のクレイドル５４への接続によりその電子早見本装置５０の充電のみが行われる一方、カウンタでは前記電子早見本装置５０のクレイドル５４への接続によりその電子早見本装置５０の前記カラオケ装置１０への対応付を解除することができ、何れのカラオケ装置１０とも対応付されていない状態で新たな利用者にその電子早見本装置５０を貸し出すことができる。
【００２８】
図６は、前記電子早見本装置５０のＣＰＵ６４による対応付解除制御を説明するフローチャートであり、所定の周期で繰り返し実行されるものである。
【００２９】
先ず、ステップ（以下、ステップを省略する）ＳＡ１において、前記電子早見本装置５０が前記クレイドル５４に載置され、そのクレイドル５４と接続されたか否かが判断される。このＳＡ１の判断が否定される場合には、それをもって本ルーチンが終了させられるが、ＳＡ１の判断が肯定される場合には、ＳＡ２において、前記ＲＡＭ６８等に前記カラオケ装置特定情報が記憶されているか否か、すなわち所定のカラオケ装置１０への前記入力に関する対応付が行われているか否かが判断される。このＳＡ２の判断が否定される場合には、それをもって本ルーチンが終了させられるが、ＳＡ２の判断が肯定される場合には、ＳＡ３において、前記クレイドル５４から対応付解除指令（機能変更指令）が出力されたか否かが判断される。このＳＡ３の判断が否定される場合には、それをもって本ルーチンが終了させられるが、ＳＡ３の判断が肯定される場合には、前記対応付解除手段８２の動作に対応するＳＡ５において、前記ＲＡＭ６８等に記憶されたカラオケ装置特定情報が消去されて前記電子早見本装置５０の前記カラオケ装置１０への前記入力に関する対応付を解除する機能変更処理が実行される。次に、ＳＡ６において、前記タッチパネルディスプレイ５２への対応付画面表示が要求された後、本ルーチンが終了させられる。
【００３０】
図７は、前記電子早見本装置５０のＣＰＵ６４によるメイン制御（すなわち主たる処理）を説明するフローチャートであり、所定の周期で繰り返し実行されるものである。
【００３１】
先ず、ＳＢ１において、前記ＲＡＭ６８等にカラオケ装置特定情報が記憶されているか否かが判断される。このＳＢ１の判断が肯定される場合には、ＳＢ４以下の処理が実行されるが、ＳＢ１の判断が否定される場合には、ＳＢ２において、前記タッチパネルディスプレイ５２に図５に示すような初期くくりつけ画面（対応付画面）が表示される。次に、ＳＢ３において、前記タッチパネルディスプレイ５２を介しての利用者の入力操作に応じて前記カラオケ装置１０から所定のカラオケ装置特定情報が取得される。次に、ＳＢ４において、選曲入力をはじめとする通常の入力処理が実行される。次に、ＳＢ５において、対応付画面表示要求があったか否かが判断される。このＳＢ５の判断が否定される場合には、ＳＢ４以下の処理が実行されるが、ＳＢ５の判断が肯定される場合には、それをもって本ルーチンが終了させられる。
【００３２】
図８は、前記クレイドル５４による対応付解除指令出力制御を説明するフローチャートであり、所定の周期で繰り返し実行されるものである。
【００３３】
先ず、ＳＣ１において、前記電子早見本装置５０が前記クレイドル５４上に設置されたか否かが判断される。このＳＣ１の判断が否定される場合には、それをもって本ルーチンが終了させられるが、ＳＣ１の判断が肯定される場合には、ＳＣ２において、前記切換スイッチ７８がオンであるか否かが判断される。このＳＣ２の判断が否定される場合には、それをもって本ルーチンが終了させられるが、ＳＣ２の判断が肯定される場合には、前記対応付解除指令出力部８０の動作に対応するＳＣ３において、前記電子早見本装置５０の機能を変更するための機能変更指令として対応付解除指令が出力された後、本ルーチンが終了させられる。
【００３４】
このように、本実施例によれば、前記電子早見本装置５０の着脱に応じてその電子早見本装置５０の機能を変更するための機能変更指令を出力可能なクレイドル５４を備えており、前記電子早見本装置５０は、そのクレイドル５４から出力される機能変更指令に応じてその電子早見本装置５０の機能を変更する機能変更手段を含むことから、何ら入力操作を行うことなく簡便に前記電子早見本装置５０の機能を変更することができる。すなわち、利便性の高い電子早見本装置５０を提供することができる。
【００３５】
また、前記機能変更手段は、前記機能変更指令に応じて前記電子早見本装置５０の前記カラオケ装置１０への無線ＬＡＮ通信に関する対応付を解除する対応付解除手段８２（ＳＡ５）であるため、何ら入力操作を行うことなく簡便に前記電子早見本装置５０の前記カラオケ装置１０への対応付を解除することができるという利点がある。
【００３６】
また、前記クレイドル５４は、前記機能変更指令を出力する状態と出力しない状態との間で回路を切り換える切換スイッチ７８を有するものであるため、前記クレイドル５４の使用態様に応じて機能変更指令の出力／非出力を簡便に切り換えることができるという利点がある。
【００３７】
続いて、本発明の他の好適な実施例を図面に基づいて詳細に説明する。なお、以下の説明に用いる図面に関して、前述した第１実施例と共通する部分については、同一の符号を付してその説明を省略する。
【実施例２】
【００３８】
図９は、本発明の第２実施例である電子早見本装置５０のＣＰＵ６４及びクレイドル５４に備えられた制御機能の要部を示す機能ブロック線図である。この図９に示す送信制御指令出力部８４は、前記クレイドル５４に備えられた簡易的な制御装置であり、送信制御手段８４は、前記電子早見本装置５０のＣＰＵ６４に機能的に備えられたものである。
【００３９】
送信制御指令出力部８４は、前記電子早見本装置５０のクレイドル５４への着脱に応じてその電子早見本装置５０の機能を変更するための機能変更指令として送信制御指令を出力する。この送信制御指令は、例えば、「０」又は「１」を表す信号であり、前記電子早見本装置５０がクレイドル５４から取り外される際にその電子早見本装置５０へ出力される。或いは、前記電子早見本装置５０がクレイドル５４に載置されて接続される際にその電子早見本装置５０へ出力される。また、前記クレイドル５４は、「０」を表す送信制御指令（機能変更指令）を出力する状態と「１」を表す送信制御指令を出力する状態との間で回路を切り換える切換スイッチ７８を有するものであり、その切換スイッチ７８がオンとされている場合には、前記電子早見本装置５０のクレイドル５４への着脱に応じて「０」を表す送信制御指令を出力させるが、オフとされている場合には、前記電子早見本装置５０のクレイドル５４への着脱に応じて「１」を表す送信制御指令を出力させる。
【００４０】
送信制御手段８６は、前記送信制御指令出力部８４により出力される送信制御指令（機能変更指令）に応じて前記電子早見本装置５０の前記カラオケ装置１０への選曲を含むカラオケ動作制御信号の送信を禁止乃至は許可する。例えば、前記送信制御指令出力部８４により「０」を表す送信制御指令が出力された場合には、前記電子早見本装置５０の前記カラオケ装置１０への選曲を含むカラオケ動作制御信号の送信を禁止する機能変更を行い、「１」を表す送信制御指令が出力された場合には、前記電子早見本装置５０の前記カラオケ装置１０への選曲を含むカラオケ動作制御信号の送信を許可する機能変更を行う。
【００４１】
例えば、パブやスナック等の夜間営業店に設置されたカラオケ装置１０による演奏では、客が自由に選曲を行うことで諍いが起きやすいので、客の希望を聞いたうえで専ら店員の側で選曲を行うことが要求される。本実施例の電子早見本装置５０は、前記クレイドル５４への着脱に応じて上記選曲禁止／許可制御が実行されるようになっており、斯かる要求を好適に満足させる。この場合、客用に設置されたクレイドル５４では、前記切換スイッチ７８をオンとすることで「０」を表す送信制御指令を出力させる設定としておき、店員用に設置されたクレイドル５４では、前記切換スイッチ７８をオフとすることで「１」を表す送信制御指令を出力させる設定としておくのが好ましい。このようにすれば、客の側では前記電子早見本装置５０のクレイドル５４への接続によりその電子早見本装置５０の充電のみが行われ、選曲できる演奏曲の検索及び閲覧はできるが選曲送信はできないものとされる一方、店員の側では前記電子早見本装置５０のクレイドル５４への接続によりその電子早見本装置５０の前記カラオケ装置１０への選曲送信が許可され、客の所望に応じて場の空気を読みつつ選曲を行うことができる。
【００４２】
図１０は、前述した図６に対応する図であり、前記電子早見本装置５０のＣＰＵ６４による送信制御を説明するフローチャートである。なお、このフローチャートにおいて、前述した図６に示す処理と共通するステップについては、同一の符号を付してその説明を省略する。
【００４３】
図１０に示す制御では、前述したＳＡ１の判断が否定される場合、すなわち前記クレイドル５４上に前記電子早見本装置５０が設置されてはいないと判断される場合には、それをもって本ルーチンが終了させられるが、ＳＡ１の判断が肯定される場合、すなわち前記クレイドル５４上に前記電子早見本装置５０が設置されたと判断される場合には、ＳＡ６において、前記クレイドル５４から送信制御指令が出力されたか否かが判断される。このＳＡ６の判断が否定される場合には、それをもって本ルーチンが終了させられるが、ＳＡ６の判断が肯定される場合には、ＳＡ７において、前記クレイドル５４から選曲送信を許可するための「１」を表す送信制御指令が出力されたか否かが判断される。このＳＡ７の判断が肯定される場合には、ＳＡ８において、前記電子早見本装置５０の前記カラオケ装置１０への選曲を含むカラオケ動作制御信号の送信を許可する機能変更が行われた後、本ルーチンが終了させられるが、ＳＡ７の判断が否定される場合、すなわち前記クレイドル５４から選曲送信を禁止するための「０」を表す送信制御指令が出力されたと判断される場合には、ＳＡ９において、前記電子早見本装置５０の前記カラオケ装置１０への選曲を含むカラオケ動作制御信号の送信を禁止する機能変更が行われた後、本ルーチンが終了させられる。以上の制御において、ＳＡ８及びＳＡ９が前記送信制御手段８６の動作に対応する。
【００４４】
図１１は、前記電子早見本装置５０のＣＰＵ６４によるメイン制御を説明するフローチャートであり、所定の周期で繰り返し実行されるものである。
【００４５】
先ず、ＳＤ１において、前記タッチパネルディスプレイ５２に利用者の指等による入力があったか否かが判断される。このＳＤ１の判断が否定される場合には、それをもって本ルーチンが終了させられるが、ＳＤ１の判断が肯定される場合には、ＳＤ２において、選曲信号をはじめとする前記カラオケ装置１０へのカラオケ動作制御信号の送信であるか否かが判断される。このＳＤ２の判断が否定される場合には、ＳＤ６において、前記タッチパネルディスプレイ５２への入力に応じた処理が実行された後、本ルーチンが終了させられるが、ＳＤ２の判断が肯定される場合には、ＳＤ３において、前記ＲＡＭ６８等に記憶された送信許可／禁止設定が読み出される。次に、ＳＤ４において、ＳＤ３にて読み出された設定が前記カラオケ装置１０への送信を許可するものであるか否かが判断される。このＳＤ４の判断が否定される場合には、前記カラオケ装置１０へのカラオケ動作制御信号の送信は行われず、それをもって本ルーチンが終了させられるが、ＳＤ４の判断が肯定される場合には、ＳＤ５において、前記カラオケ装置１０へ所定のカラオケ動作制御信号が送信された後、本ルーチンが終了させられる。
【００４６】
図１２は、前述した図８に対応する図であり、前記クレイドル５４による送信制御指令出力制御を説明するフローチャートである。なお、このフローチャートにおいて、前述した図８に示す処理と共通するステップについては、同一の符号を付してその説明を省略する。
【００４７】
図１２に示す制御において、前述したＳＣ２の判断が肯定される場合、すなわち前記切換スイッチ７８がオンであると判断される場合には、ＳＣ４において、前記切換スイッチ７８が送信を禁止するものであるか否かが判断される。このＳＣ４の判断が肯定される場合には、ＳＣ５において、選曲を含むカラオケ動作制御信号の送信を禁止するための「０」を表す送信制御指令が前記電子早見本装置５０へ機能変更指令として出力された後、本ルーチンが終了させられるが、ＳＣ４の判断が否定される場合、すなわち前記切換スイッチ７８が送信を禁止するものではないと判断される場合には、ＳＣ６において、選曲を含むカラオケ動作制御信号の送信を許可するための「１」を表す送信制御指令が前記電子早見本装置５０へ機能変更指令として出力された後、本ルーチンが終了させられる。以上の制御において、ＳＣ５及びＳＣ６が、前記送信制御指令出力部８４の動作に対応する。
【００４８】
このように、本実施例において、前記電子早見本装置５０に含まれる機能変更手段は、前記クレイドル５４からの機能変更指令に応じて前記電子早見本装置５０の前記カラオケ装置１０への選曲を含むカラオケ動作制御信号の送信を禁止乃至は許可する送信制御手段８６（ＳＡ８及びＳＡ９）であるため、何ら入力操作を行うことなく簡便に前記電子早見本装置５０の前記カラオケ装置１０への選曲送信を禁止乃至は許可することができるという利点がある。
【実施例３】
【００４９】
図１３は、本発明の第３実施例である電子早見本装置５０のＣＰＵ６４に備えられた制御機能の要部を示す機能ブロック線図である。この図１３に示す実行内容記憶手段８８は、前記電子早見本装置５０により所定の機能を実行した際の実行内容を前記ＲＡＭ６８等の記憶装置に記憶保持する。例えば、前記電子早見本装置５０を用いたゲーム等のサービスの実行や、その電子早見本装置５０による入力送信可能時間（すなわちカラオケ演奏時間）等を、所定の利用者が前記カラオケ装置１０を使用している間継続的に記憶する。
【００５０】
実行内容表示手段９０は、上記実行内容記憶手段８８により前記ＲＡＭ６８等に記憶された前記実行内容を前記タッチパネルディスプレイ５２に閲覧可能に表示させる。例えば、前記電子早見本装置５０を前記クレイドル５４上に設置することで、それまでのカラオケ演奏に関する料金精算モードへの機能変更が行われ、前記電子早見本装置５０を用いたゲーム等のサービスに応じた金額や、その電子早見本装置５０による入力送信可能時間に応じたカラオケ演奏料金等を表示させる。本実施例の電子早見本装置５０において、カラオケボックスのカウンタ等に置かれた前記クレイドル５４上に設置されることで、上述した料金精算モードへの機能変更が行われるようにしておけば、斯かる精算を速やかに且つ確実に行うことができる。
【００５１】
図１４は、前述した図６に対応する図であり、前記電子早見本装置５０のＣＰＵ６４による実行内容表示制御を説明するフローチャートである。なお、このフローチャートにおいて、前述した図６に示す処理と共通するステップについては、同一の符号を付してその説明を省略する。
【００５２】
図１４に示す制御では、前述したＳＡ１の判断が否定される場合、すなわち前記クレイドル５４上に前記電子早見本装置５０が設置されてはいないと判断される場合には、それをもって本ルーチンが終了させられるが、ＳＡ１の判断が肯定される場合、すなわち前記クレイドル５４上に前記電子早見本装置５０が設置されたと判断される場合には、ＳＡ１０において、前記ＲＡＭ６８等に記憶された実行内容を表示させるための実行内容表示指令があったか否かが判断される。このＳＡ１０の判断が否定される場合には、それをもって本ルーチンが終了させられるが、ＳＡ１０の判断が肯定される場合には、ＳＡ１１において、前記ＲＡＭ６８等に所定の実行内容が記憶されているか否かが判断される。このＳＡ１１の判断が否定される場合には、それをもって本ルーチンが終了させられるが、ＳＡ１１の判断が肯定される場合には、ＳＡ１２において、前記ＲＡＭ６８等に記憶された実行内容を表示させるための実行内容表示処理が要求された後、本ルーチンが終了させられる。
【００５３】
図１５は、前記電子早見本装置５０のＣＰＵ６４によるメイン制御を説明するフローチャートであり、所定の周期で繰り返し実行されるものである。
【００５４】
先ず、ＳＥ１において、前記ＲＡＭ６８等に記憶された実行内容が初期化（クリア）される。次に、ＳＥ２において、所定のメニュー画面が前記タッチパネルディスプレイ５２に表示される。次に、ＳＥ３において、前記ＲＡＭ６８等に記憶された実行内容を表示させるための実行内容表示要求があったか否かが判断される。このＳＥ３の判断が否定される場合には、ＳＥ６以下の処理が実行されるが、ＳＥ３の判断が肯定される場合には、ＳＥ４において、前記ＲＡＭ６８等に記憶された実行内容が読み出される。次に、前記実行内容表示手段９０の動作に対応するＳＥ５において、ＳＥ４にて読み出された実行内容が前記タッチパネルディスプレイ５２に閲覧可能に一覧表示された後、本ルーチンが終了させられる。ＳＥ６の判断が肯定される場合、すなわち前記ＲＡＭ６８等に実行内容を記憶すべき処理が行われたと判断される場合には、前記実行内容記憶手段８８の動作に対応するＳＥ７において、その実行内容が前記ＲＡＭ６８等に記憶され、ＳＥ８において、選択（入力）された処理が実行された後、ＳＥ２以下の処理が再び実行されるが、ＳＥ６の判断が否定される場合、すなわち前記ＲＡＭ６８等に実行内容を記憶すべきでない処理が行われたと判断される場合には、ＳＥ８以下の処理が実行される。
【００５５】
このように、本実施例によれば、前記電子早見本装置５０は、所定の機能を実行した際の実行内容を記憶保持する実行内容記憶手段８８（ＳＥ７）を有するものであり、前記機能変更手段は、その実行内容記憶手段８８により記憶された前記実行内容を前記タッチパネルディスプレイ５２に閲覧可能に表示させる実行内容表示手段９０（ＳＥ５）であるため、何ら入力操作を行うことなく簡便に前記電子早見本装置５０における所定の機能の実行内容を前記タッチパネルディスプレイ５２に閲覧可能に表示させることができるという利点がある。
【００５６】
以上、本発明の好適な実施例を図面に基づいて詳細に説明したが、本発明はこれに限定されるものではなく、更に別の態様においても実施される。
【００５７】
例えば、前述の実施例において、前記クレイドル５４から出力される機能変更指令は、所定のパルス信号であったが、これは電気信号であると磁気信号であるとを問わない。また、磁気信号である場合には、磁石の位置を変更する等の手段により指令を出力するものであってもよく、前記電子早見本装置５０の側では、斯かる磁石の位置を検出する磁気センサを備え、その磁気センサにより検出される磁石の位置に応じて前記機能変更指令を受信するものであっても構わない。
【００５８】
また、前述の実施例において、前記クレイドル５４は、前記機能変更指令を出力する状態と出力しない状態との間で回路を切り換える切換スイッチ７８を有するものであったが、斯かる切換スイッチ７８は必ずしも設けられなくともよい。また、前記機能変更指令を出力するクレイドル５４と、出力しないクレイドル５４とをそれぞれ個別に有するものであってもよく、更には、それぞれ種類の異なる機能変更指令を出力する複数のクレイドル５４を有するものであっても構わない。この場合、何らかの目印によりクレイドル５４の種類を判別できることが好ましい。
【００５９】
また、前述の実施例において、前記電子早見本装置５０は、前記無線ＬＡＮ通信部７６を介して前記カラオケ装置１０への選曲信号の送信を行うものであったが、例えば、前記リモコン送信部７４からリモコン信号として選曲信号の送信を行うものであっても当然に構わない。この場合、前記送信制御手段８６は、前記クレイドル５４から出力される機能変更指令に応じて前記リモコン送信部７４からのリモコン信号の送信を禁止乃至は許可する。
【００６０】
その他、一々例示はしないが、本発明はその趣旨を変更しない範囲内において種々の変更が加えられて実施されるものである。
【図面の簡単な説明】
【００６１】
【図１】本発明の電子早見本装置が備え付けられるカラオケ装置の構成を例示するブロック線図である。
【図２】本発明の一実施例である電子早見本装置の外観を大まかに示す斜視図である。
【図３】図２の電子早見本装置の構成を説明するブロック線図である。
【図４】図３の電子早見本装置のＣＰＵ及びクレイドルに備えられた制御機能の要部を示す機能ブロック線図である。
【図５】図３の電子早見本装置のタッチパネルディスプレイに表示される初期くくりつけ画面を例示する図である。
【図６】図３の電子早見本装置のＣＰＵによる対応付解除制御を説明するフローチャートである。
【図７】図３の電子早見本装置のＣＰＵによるメイン制御を説明するフローチャートである。
【図８】図３のクレイドルによる対応付解除指令出力制御を説明するフローチャートである。
【図９】図３の電子早見本装置のＣＰＵ及びクレイドルに備えられた他の制御機能の要部を示す機能ブロック線図である。
【図１０】図８の電子早見本装置のＣＰＵによる送信制御を説明するフローチャートである。
【図１１】図８の電子早見本装置のＣＰＵによるメイン制御を説明するフローチャートである。
【図１２】図８のクレイドルによる送信制御指令出力制御を説明するフローチャートである。
【図１３】図３の電子早見本装置のＣＰＵに備えられた更に別の制御機能の要部を示す機能ブロック線図である。
【図１４】図８の電子早見本装置のＣＰＵによる実行内容表示制御を説明するフローチャートである。
【図１５】図８の電子早見本装置のＣＰＵによるメイン制御を説明するフローチャートである。
【符号の説明】
【００６２】
１０：カラオケ装置
５０：電子早見本装置
５２：タッチパネルディスプレイ
５４：クレイドル
７８：切換スイッチ
８０：対応付解除指令出力部
８２：対応付解除手段（機能変更手段）
８４：送信制御指令出力部
８６：送信制御手段（機能変更手段）
８８：実行内容記憶手段
９０：実行内容表示手段（機能変更手段）
【図１】
2006098748.tif 000003
【図２】
2006098748.tif 000004
【図３】
2006098748.tif 000005
【図４】
2006098748.tif 000006
【図５】
2006098748.tif 000007
【図６】
2006098748.tif 000008
【図７】
2006098748.tif 000009
【図８】
2006098748.tif 000010
【図９】
2006098748.tif 000011
【図１０】
2006098748.tif 000012
【図１１】
2006098748.tif 000013
【図１２】
2006098748.tif 000014
【図１３】
2006098748.tif 000015
【図１４】
2006098748.tif 000016
【図１５】
2006098748.tif 000017